【手続補正書】
【提出日】平成16年6月3日(2004.6.3)
【手続補正１】
【補正対象書類名】明細書
【補正対象項目名】発明の名称
【補正方法】変更
【補正の内容】
【発明の名称】カッティング装置、情報記録媒体、情報記録装置及び情報記録方法並びに、カッティング方法
【手続補正２】
【補正対象書類名】明細書
【補正対象項目名】特許請求の範囲
【補正方法】変更
【補正の内容】
【特許請求の範囲】
【請求項１】
所定の記録フォーマットにより記録情報を記録可能な情報記録媒体の製造に用いられるスタンパディスクをカッティングするためのカッティング装置であって、
所定のデータ列が記録されるべき領域であるプリ記録領域を判別する領域判別手段と、
前記判別された前記プリ記録領域に、前記所定のデータ列であるプリ記録データをエンボスピット列として前記スタンパディスク上に形成するエンボスピット列形成手段と、を備え、
前記エンボスピット列形成手段は、ウォブリングを施しつつ前記エンボスピット列を形成することを特徴とするカッティング装置。
【請求項２】
前記エンボスピット列は、前記プリ記録領域への情報記録を不可能とすることを特徴とする請求項１に記載のカッティング装置。
【請求項３】
前記情報記録媒体は、記録情報が記録されるデータ領域に先行するリードイン領域を有し、前記プリ記録領域は該リードイン領域のコントロールデータ領域内に位置することを特徴とする請求項１又は２に記載のカッティング装置。
【請求項４】
前記プリ記録領域は、前記記録フォーマットにより情報が記録された状態にて作成される再生専用情報記録媒体における制御情報が記録される領域に対応した領域を含むことを特徴とする請求項１乃至３のいずれか一に記載のカッティング装置。
【請求項５】
記録情報を記録可能なデータ領域を備える情報記録媒体内において、所定のデータ列が記録されるべき領域であるプリ記録領域を判別する領域判別手段と、
前記領域判別手段により判別された前記プリ記録領域へ、前記記録情報に関する制御情報が記録されるのを不可能とするため、プリ記録データをレーザ記録により予め書き込むプリ記録データ書き込み手段と、
を備えることを特徴とする情報記録装置。
【請求項６】
前記情報記録媒体は、記録情報が記録されるデータ領域に先行するリードイン領域を有し、前記プリ記録領域は該リードイン領域のコントロールデータ領域内に位置することを特徴とする請求項５に記載の情報記録装置。
【請求項７】
前記プリ記録領域は、前記記録フォーマットにより情報が記録された状態にて作成される再生専用情報記録媒体における制御情報が記録されている領域に対応する領域を含むことを特徴とする請求項５又は６に記載の情報記録装置。
【請求項８】
所定の記録フォーマットにより情報記録媒体に対して所定のパワーで光ビームを照射して記録情報の記録を行う情報記録装置であって、
前記情報記録媒体のプリ記録領域にプリ記録データがエンボスピット列として形成されているか、又は、該プリ記録データがレーザ記録により書き込まれているかを判定する判定手段と、
前記プリ記録データに基づく検出信号の変調度の大小を確認する変調度確認手段と、
前記記録情報を記録する際、前記判定手段により前記エンボスピットが形成されていると判定されると共に前記変調度確認手段により前記変調度が小さいと確認された場合は、前記プリ記録領域において前記光ビームを記録パワーに保つパワー制御手段と、を備えることを特徴とする情報記録装置。
【請求項９】
前記パワー制御手段は、
Ａ）前記判定手段により前記プリ記録データがレーザ記録により書き込まれていると判定された場合、
Ｂ）前記変調度確認手段により前記変調度が大きいと確認された場合、
の少なくとも何れか一方の事象が発生した場合に、前記プリ記録領域に照射される前記光ビームを記録パワーより充分小さいパワーに保つことを特徴とする請求項８に記載の情報記録装置。
【請求項１０】
前記情報記録媒体は、記録情報を記録するデータ領域に先行するリードイン領域を有し、前記プリ記録領域は、該リードイン領域のコントロールデータ領域内に位置することを特徴とする請求項８に記載の情報記録装置。
【請求項１１】
所定の記録フォーマットにより記録情報を記録可能な情報記録媒体の製造に用いられるスタンパディスクをカッティングするカッティング方法であって、
所定のデータ列が記録されるべき領域であるプリ記録領域を判別する領域判別工程と、
前記判別された前記プリ記録領域に、前記所定のデータ列であるプリ記録データをエンボスピット列として前記スタンパディスク上に形成するエンボスピット列形成工程と、を備え、
前記エンボスピット列形成工程にて、ウォブリングを施しつつ前記エンボスピット列を形成することを特徴とするカッティング方法。
【請求項１２】
前記エンボスピット列は、前記プリ記録領域への情報記録を不可能とすることを特徴とする請求項１１に記載のカッティング方法。
【請求項１３】
前記情報記録媒体は、記録情報が記録されるデータ領域に先行するリードイン領域を有し、前記プリ記録領域は該リードイン領域のコントロールデータ領域内に位置することを特徴とする請求項１１又は１２に記載のカッティング方法。
【請求項１４】
前記プリ記録領域は、前記記録フォーマットにより情報が記録された状態にて作成される再生専用情報記録媒体における制御情報が記録される領域に対応した領域を含むことを特徴とする請求項１１乃至１３のいずれか一に記載のカッティング方法。
【請求項１５】
所定の記録フォーマットにより情報記録媒体に対して情報の記録を行う情報記録方法であって、
前記情報記録媒体内において所定のデータ列が記録されるべき領域であるプリ記録領域を判別する領域判別工程と、
前記領域判別工程にて判別された前記プリ記録領域へ、前記記録情報に関する制御情報の記録を不可能とするため、プリ記録データをレーザ記録により予め書き込むプリ記録データ書き込み工程と、
を備えることを特徴とする情報記録方法。
【請求項１６】
前記情報記録媒体は、記録情報が記録されるデータ領域に先行するリードイン領域を有し、前記プリ記録領域は該リードイン領域のコントロールデータ領域内に位置することを特徴とする請求項１５に記載の情報記録方法。
【請求項１７】
前記プリ記録領域は、前記記録フォーマットにより情報が記録された状態にて作成される再生専用情報記録媒体における制御情報が記録されている領域に対応する領域を含むことを特徴とする請求項１５又は１６に記載の情報記録方法。
【請求項１８】
所定の記録フォーマットにより情報記録媒体に対して所定のパワーで光ビームを照射して記録情報の記録を行う情報記録方法であって、
前記情報記録媒体のプリ記録領域にプリ記録データがエンボスピット列として形成されているか、又は、該プリ記録データがレーザ記録により書き込まれているかを判定する判定工程と、
前記プリ記録データに基づく検出信号の変調度の大小を確認する変調度確認工程と、
前記記録情報を記録する際、前記判定工程にて前記エンボスピットが形成されていると判定されると共に前記変調度確認工程にて前記変調度が小さいと確認された場合には、前記プリ記録領域において前記光ビームを記録パワーに保つパワー制御工程と、を備えることを特徴とする情報記録方法。
【請求項１９】
前記パワー制御工程において、
Ａ）前記判定手段により前記プリ記録データがレーザ記録により書き込まれていると判定された場合、
Ｂ）前記変調度確認手段により前記変調度が大きいと確認された場合、
の少なくとも何れか一方の事象が発生した場合に、前記プリ記録領域に照射される前記光ビームを記録パワーより十分小さいパワーに保つことを特徴とする請求項１８に記載の情報記録方法。
【請求項２０】
前記情報記録媒体は、記録情報を記録するデータ領域に先行するリードイン領域を有し、前記プリ記録領域は、該リードイン領域のコントロールデータ領域内に位置することを特徴とする請求項１９に記載の情報記録方法。
【請求項２１】
記録情報が記録可能な情報記録トラックが形成されたデータ領域と、
所定のデータ列がエンボスピット列として予め記録されているプリ記録領域と、を有する情報記録媒体であって、
前記エンボスピット列がウォブルされていることを特徴とする情報記録媒体。
【請求項２２】
前記プリ記録領域は前記データ領域に先行するリードイン領域内に位置することを特徴とする請求項２１に記載の情報記録媒体。
【請求項２３】
前記プリ記録領域は前記リードイン領域のコントロールデータ領域内に位置することを特徴とする請求項２２に記載の情報記録媒体。
【請求項２４】
前記情報記録トラックは、ウォブルされたグルーブトラックであることを特徴とする請求項２１乃至２３のいずれか一に記載の情報記録媒体。
【請求項２５】
前記エンボスピット列は、前記プリ記録領域への情報記録を不可能とすることを特徴とする請求項２１乃至２４のいずれか一に記載の情報記録媒体。
【請求項２６】
前記データ領域においては、所定の記録フォーマットで記録情報が記録され、
前記プリ記録領域は、前記記録フォーマットにより情報が記録された状態にて作成される再生専用情報記録媒体における制御情報が記録される領域に対応する領域を含むことを特徴とする請求項２１乃至２５のいずれか一に記載の情報記録媒体。
【請求項２７】
記録情報が記録可能な情報記録トラックが形成されたデータ領域と、
所定のデータ列がレーザ記録により予め記録され、前記データ領域に記録される記録情報に関する制御情報の記録が不可能とされたプリ記録領域と、を有する情報記録媒体であって、
前記所定のデータ列は、ウォブルトラックに記録されていることを特徴とする情報記録媒体。
【請求項２８】
前記プリ記録領域は前記データ領域に先行するリードイン領域内に位置することを特徴とする請求項２７に記載の情報記録媒体。
【請求項２９】
前記プリ記録領域は前記リード領域のコントロールデータ領域内に位置することを特徴とする請求項２８に記載の情報記録媒体。
【請求項３０】
前記情報記録トラックは、ウォブルされたグルーブトラックであることを特徴とする請求項２７乃至２９のいずれか一に記載の情報記録媒体。
【請求項３１】
前記データ領域においては、所定の記録フォーマットで記録情報が記録され、
前記プリ記録領域は、前記記録フォーマットにより情報が記録された状態にて作成される再生専用情報記録媒体における制御情報が記録される領域に対応する領域を含むことを特徴とする請求項２７乃至３０のいずれか一に記載の情報記録媒体。
【手続補正３】
【補正対象書類名】明細書
【補正対象項目名】０００６
【補正方法】変更
【補正の内容】
【０００６】
【課題を解決するための手段】
上記課題を解決するために、請求項１に記載のカッティング装置は、所定の記録フォーマットにより記録情報を記録可能な情報記録媒体の製造に用いられるスタンパディスクをカッティングするためのカッティング装置であって、所定のデータ列が記録されるべき領域であるプリ記録領域を判別する領域判別手段と、前記判別された前記プリ記録領域に、前記所定のデータ列であるプリ記録データをエンボスピット列として前記スタンパディスク上に形成するエンボスピット列形成手段と、を備え、前記エンボスピット列形成手段は、ウォブリングを施しつつ前記エンボスピット列を形成することを特徴とする。
【手続補正４】
【補正対象書類名】明細書
【補正対象項目名】０００７
【補正方法】変更
【補正の内容】
【０００７】
また、請求項３に記載のカッティング装置は、請求項１又は２に記載のカッティング装置において、前記情報記録媒体は、記録情報が記録されるデータ領域に先行するリードイン領域を有し、前記プリ記録領域は該リードイン領域のコントロールデータ領域内に位置することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項１乃至請求項４に記載の発明によれば、情報記録媒体の製造に用いられるスタンパディスクをカッティングする際、プリ記録領域を判別し、このプリ記録領域にプリ記録データに対応するエンボスピット列を形成する。すると、このスタンパディスクにより製造された情報記録媒体にも同様のエンボスピット列が形成され、そこに別の記録情報を上書きすることができなくなる。特に、この情報記録媒体に対し、記録フォーマットが共通である再生専用の情報記録媒体の全データをコピーしようとする場合であっても、スクランブルのキーデータ等の再生制御に必要な情報が欠落することになるため、不正なコピーを有効に防止することができる。また、かかるエンボスピット列の形成に際しては、当該エンボスピット列にウォブリングが施されるため、情報記録媒体に記録された記録情報の再生に際して、確実にウォブル信号を取得することが可能となる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項２１に記載の情報記録媒体は、記録情報が記録可能な情報記録トラックが形成されたデータ領域と、所定のデータ列がエンボスピット列として予め記録されているプリ記録領域と、を有する情報記録媒体であって、前記エンボスピット列がウォブルされていることを特徴とする。
【手続補正１３】
【補正対象書類名】明細書
【補正対象項目名】００１７
【補正方法】変更
【補正の内容】
【００１７】
また、請求項２２に記載の情報記録媒体は、請求項２１に記載の情報記録媒体において、前記プリ記録領域は前記データ領域に先行するリードイン領域内に位置することを特徴とし、請求項２３に記載の情報記録媒体は、更に、該リードイン領域のコントロールデータ領域内に前記プリ記録領域が設定されていることを特徴とする。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
請求項２１乃至請求項２６に記載の発明によれば、プリ記録領域内に予め所定のデータがエンボスピット列として記録される。よって、この部分には別の記録情報を上書きすることができなくなる。特に、この情報記録媒体に対し、記録フォーマットが共通である再生専用の情報記録媒体の全データをコピーしようとする場合であっても、スクランブルのキーデータ等の再生制御に必要な情報が欠落することになるため、不正なコピーを有効に防止することができる。また、同情報記録媒体においてプリ記録領域に形成されるエンボスピット列は、ウォブリングされることとなるため、情報記録媒体に記録されている記録情報を再生する際に、確実にウォブル信号を取得することが可能となる。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
請求項５に記載の情報記録装置は、記録情報を記録可能なデータ領域を備える情報記録媒体内において、所定のデータ列が記録されるべき領域であるプリ記録領域を判別する領域判別手段と、前記領域判別手段により判別された前記プリ記録領域へ、前記記録情報に関する制御情報が記録されるのを不可能とするため、プリ記録データをレーザ記録により予め書き込むプリ記録データ書き込み手段と、を備えることを特徴とする。
【手続補正２１】
【補正対象書類名】明細書
【補正対象項目名】００２６
【補正方法】変更
【補正の内容】
【００２６】
この発明によれば、情報記録媒体に記録を行うのに先立って、プリ記録領域が判別され、このプリ記録領域に対して所定のデータ列であるプリ記録データが予めレーザ記録により書き込まれる。すると、例えば、情報の書き込みが一回のみに制限されているような情報記録媒体においては、プリ記録領域に別の記録情報を上書きすることができなくなる。特に、この情報記録媒体に対し、記録フォーマットが共通である再生専用の情報記録媒体の全データをコピーしようとする場合であっても、スクランブルのキーデータ等の再生制御に必要な情報が欠落することになるため、不正なコピーを有効に防止することができる。
【手続補正２２】
【補正対象書類名】明細書
【補正対象項目名】００２７
【補正方法】変更
【補正の内容】
【００２７】
請求項８に記載の情報記録装置は、所定の記録フォーマットにより情報記録媒体に対して所定のパワーで光ビームを照射して記録情報の記録を行う情報記録装置であって、前記情報記録媒体のプリ記録領域にプリ記録データがエンボスピット列として形成されているか、又は、該プリ記録データがレーザ記録により書き込まれているかを判定する判定手段と、前記プリ記録データに基づく検出信号の変調度の大小を確認する変調度確認手段と、前記記録情報を記録する際、前記判定手段により前記エンボスピットが形成されていると判定されると共に前記変調度確認手段により前記変調度が小さいと確認された場合は、前記プリ記録領域において前記光ビームを記録パワーに保つパワー制御手段と、を備えることを特徴とする。
【手続補正２３】
【補正対象書類名】明細書
【補正対象項目名】００２８
【補正方法】変更
【補正の内容】
【００２８】
また、請求項１０に記載の情報記録装置は、請求項８に記載の情報記録装置において、前記情報記録媒体は、記録情報を記録するデータ領域に先行するリードイン領域を有し、前記プリ記録領域は、該リードイン領域のコントロールデータ領域内に位置することを特徴とする。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】変更
【補正の内容】
【００３１】
請求項８乃至請求項１０に記載の発明によれば、プリ記録データが既に記録されている情報記録媒体に記録を行う際、このプリ記録データがエンボスピット列とレーザ記録の何れによる記録されているかを、例えば所定のフラグを読み取るなどして判定し、さらにエンボスピット列に基づく検出信号の変調度の大小をも確認する。そして、エンボスピットが形成され、かつ、変調度が小さいときには、光ビームを記録パワーに保ち、それ以外は光ビームを例えば再生パワーなどの記録パワーより十分小さい所定のパワーに保つよう制御を行う。よって、エンボスピット列に塗布された色素膜の影響によるプリ記録データの検出信号における変調度の低下を有効に防止することができる。
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】変更
【補正の内容】
【００３５】
請求項１５に記載の情報記録方法は、所定の記録フォーマットにより情報記録媒体に対して情報の記録を行う情報記録方法であって、前記情報記録媒体内において所定のデータ列が記録されるべき領域であるプリ記録領域を判別する領域判別工程と、前記領域判別工程にて判別された前記プリ記録領域へ、前記記録情報に関する制御情報の記録を不可能とするため、プリ記録データをレーザ記録により予め書き込むプリ記録データ書き込み工程と、を備えることを特徴とする。
【手続補正３０】
【補正対象書類名】明細書
【補正対象項目名】００３６
【補正方法】変更
【補正の内容】
【００３６】
また、請求項１８に記載の情報記録方法は、所定の記録フォーマットにより情報記録媒体に対して所定のパワーで光ビームを照射して記録情報の記録を行う情報記録方法であって、前記情報記録媒体のプリ記録領域にプリ記録データがエンボスピット列として形成されているか、又は、該プリ記録データがレーザ記録により書き込まれているかを判定する判定工程と、前記プリ記録データに基づく検出信号の変調度の大小を確認する変調度確認工程と、前記記録情報を記録する際、前記判定工程にて前記エンボスピットが形成されていると判定されると共に前記変調度確認工程にて前記変調度が小さいと確認された場合には、前記プリ記録領域において前記光ビームを記録パワーに保つパワー制御工程と、を備えることを特徴とする。
【手続補正３１】
【補正対象書類名】明細書
【補正対象項目名】００３７
【補正方法】変更
【補正の内容】
【００３７】
また、請求項２０に記載の情報記録方法は、請求項１８に記載の情報記録方法において、前記情報記録媒体は、記録情報を記録するデータ領域に先行するリードイン領域を有し、前記プリ記録領域は、該リードイン領域のコントロールデータ領域内に位置することを特徴とする。
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】変更
【補正の内容】
【００４３】
請求項１８乃至請求項２０に記載の発明によれば、請求項８乃至請求項１０に記載の発明と同様の作用により、エンボスピット列に塗布された色素膜の影響によるプリ記録データの検出信号における変調度の低下を有効に防止することができる。
【手続補正３８】
【補正対象書類名】明細書
【補正対象項目名】００４４
【補正方法】変更
【補正の内容】
【００４４】
また、各種制御情報に対する上書きを適切に防止可能となり、例えばディスク製造情報にスクランブルのキーデータ等が書き込まれている情報記録媒体からの不正なコピーを有効に防止することができる。
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】